(57)【要約】【課題】  ボタン形電池の補聴器への収納が容易な補聴器用電池収納構造を提供する。【解決手段】  開閉自在な電池ホルダ１を閉状態にしてボタン形電池１７をケース内に収納する補聴器用電池収納構造であって、電池ホルダ１が開状態では、ボタン形電池１７が電池ホルダ１に嵌め込まれることなく載置され、電池ホルダ１が閉状態では、ボタン形電池１７が電池ホルダ１に形成した支持点１２，１３で２点支持されると共に、ケース側に設けた支え部５で１点支持されて固定される。【選択図】        図２
2007172839.tif 000002
【特許請求の範囲】
【請求項１】
開閉自在な電池ホルダを閉状態にしてボタン形電池をケース内に収納する補聴器用電池収納構造であって、電池ホルダが開状態では、ボタン形電池が電池ホルダに嵌め込まれることなく載置されることを特徴とする補聴器用電池収納構造。
【請求項２】
開閉自在な電池ホルダを閉状態にしてボタン形電池をケース内に収納する補聴器用電池収納構造であって、電池ホルダが開状態では、ボタン形電池が電池ホルダに嵌め込まれることなく載置され、電池ホルダが閉状態では、ボタン形電池が電池ホルダに形成した支持部で少なくとも２点支持されると共に、ケース側に設けた支え部で少なくとも１点支持されて固定されることを特徴とする補聴器用電池収納構造。
【請求項３】
着脱自在な電池ホルダを装着状態にしてボタン形電池をケース内に収納する補聴器用電池収納構造であって、電池ホルダが離脱状態では、ボタン形電池が電池ホルダに嵌め込まれることなく載置され、電池ホルダが装着状態では、ボタン形電池が電池ホルダに形成した支持部で少なくとも１点支持されると共に、ケース側に設けた２つの支え部で夫々少なくとも１点支持されて固定されることを特徴とする補聴器用電池収納構造。
【請求項４】
請求項１、２又は３記載の補聴器用電池収納構造において、前記電池ホルダの内周面に磁性部材を設けたことを特徴とする補聴器用電池収納構造。
【発明の詳細な説明】
【技術分野】
【０００１】
本発明は、電池ホルダを用いてボタン形電池をケース内に収納する補聴器用電池収納構造に関する。
【背景技術】
【０００２】
耳穴式補聴器や耳かけ式補聴器などの小型の補聴器には、ボタン形電池が使用されている。ボタン形電池についての補聴器用電池収納構造としては、補聴器ケースに開閉自在に装着された電池ホルダと、この電池ホルダを収納する電池収納部からなり、電池ホルダにボタン形電池をしっかりと嵌め込んだ状態で、電池ホルダを閉状態にしてボタン形電池を電池収納部に収納するものが知られている（例えば、特許文献１参照）。
【０００３】
【特許文献１】特開２００２−２６０６１７号公報
【発明の開示】
【発明が解決しようとする課題】
【０００４】
しかし、特許文献１に記載された補聴器用電池収納構造においては、ボタン形電池を補聴器に装着する場合に、小さなボタン形電池を電池ホルダにしっかりと嵌め込む必要があるため、度々嵌め込みに失敗し、ボタン形電池を落として紛失したり、力を入れ過ぎて電池ホルダを破損したりする場合がある。特に、高齢の装用者にとっては、細かい指先の作業を苦手とする者がほとんどである。
【０００５】
本発明は、従来の技術が有するこのような問題点に鑑みてなされたものであり、その目的とするところは、ボタン形電池の補聴器への収納が容易な補聴器用電池収納構造を提供しようとするものである。
【課題を解決するための手段】
【０００６】
上記課題を解決すべく請求項１に係る発明は、開閉自在な電池ホルダを閉状態にしてボタン形電池をケース内に収納する補聴器用電池収納構造であって、電池ホルダが開状態では、ボタン形電池が電池ホルダに嵌め込まれることなく載置されるものである。
【０００７】
請求項２に係る発明は、開閉自在な電池ホルダを閉状態にしてボタン形電池をケース内に収納する補聴器用電池収納構造であって、電池ホルダが開状態では、ボタン形電池が電池ホルダに嵌め込まれることなく載置され、電池ホルダが閉状態では、ボタン形電池が電池ホルダに形成した支持部で少なくとも２点支持されると共に、ケース側に設けた支え部で少なくとも１点支持されて固定されるものである。
【０００８】
請求項３に係る発明は、着脱自在な電池ホルダを装着状態にしてボタン形電池をケース内に収納する補聴器用電池収納構造であって、電池ホルダが離脱状態では、ボタン形電池が電池ホルダに嵌め込まれることなく載置され、電池ホルダが装着状態では、ボタン形電池が電池ホルダに形成した支持部で少なくとも１点支持されると共に、ケース側に設けた２つの支え部で夫々少なくとも１点支持されて固定されるものである。
【０００９】
請求項４に係る発明は、請求項１、２又は３記載の補聴器用電池収納構造において、前記電池ホルダの内周面に磁性部材を設けた。
【発明の効果】
【００１０】
以上説明したように請求項１、２、３に係る発明によれば、ボタン形電池を電池ホルダに嵌め込む作業が要求されず、ボタン形電池を電池ホルダに載置するだけでよく、また電池ホルダからボタン形電池を取り出す際もボタン形電池を摘み上げるか、手のひらに落とせばよいので、電池交換が容易にできる。また、電池の紛失や電池ホルダの破損も低減することができる。
【００１１】
請求項４に係る発明によれば、電池ホルダの内周面に磁性部材を設けることにより、ボタン形電池が磁性部材に吸着するのでボタン形電池が電池ホルダから落下するのを防止することができる。
【発明を実施するための最良の形態】
【００１２】
以下に本発明の実施の形態を添付図面に基づいて説明する。ここで、図１〜図４は本発明に係る補聴器用電池収納構造の第１実施の形態の断面図、図５は第１実施の形態の補聴器用電池収納構造を備えた耳穴式補聴器の斜視図、図６〜９は本発明に係る補聴器用電池収納構造の第２実施の形態の断面図、図１０は磁性体シートを貼着した聴器用電池収納構造の断面図である。
【００１３】
本発明に係る補聴器用電池収納構造の第１実施の形態は、図１に示すように、開閉自在な電池ホルダ１、電池ホルダ１を回動自在に支持する支持棒２、支持棒２を立設しシェルと共に補聴器ケースを形成するフェースプレート３、フェースプレート３に形成した開口部４、フェースプレート３の内側に形成された突起状の支え部５などから構成する開閉式である。なお、図１は電池ホルダ１の開状態を示している。
【００１４】
電池ホルダ１は、ボタン形電池の外周面の半分を超える範囲について、間隙を介して囲むように形成した略円弧状の電池装着部７、電池装着部７の両側面に平行に設けた２つの支持板８，８、支持棒２に係合した取付けフック９、凹部１０、ストッパ部１１などからなり、一体で成形されている。支持棒２は、フェースプレート３に形成した開口部４の一端に設けられている。支え部５は、支持棒２の反対側で開口部４に臨む位置に形成されている。
【００１５】
また、電池装着部７には、２つの支持点１２，１３、鍔部１４が形成され、支え部５には、１つの支持点１５が形成されている。鍔部１４は、電池ホルダ１を図１に示すような開状態にして、ボタン形電池を着脱する際に、ボタン形電池の落下を防止するためのもので、この部分の曲率半径はボタン形電池の半径よりも大きく形成されている。凹部１０は、開口部４の壁面に形成された凸部１６と係合して電池ホルダ１の閉状態を保持する。ストッパ部１１は、フェースプレート３に当接して、凹部１０と凸部１６と共に電池ホルダ１の閉状態を保持する。平行に配設された２つの支持板８，８は、夫々半円板状で、ボタン形電池の落下を防止するためのものである。
【００１６】
図２に示すように、凹部１０と凸部１６が係合してボタン形電池１７を載置した電池ホルダ１が閉状態になり、ボタン形電池１７がケース内に収納されると、ボタン形電池１７は電池ホルダ１に形成した２つの支持点１２，１３と、支え部５に形成した１つの支持点１５の３点のみで支持され固定される。
【００１７】
また、３つの支持点１２，１３，１５でボタン形電池１７を支持するのではなく、図３に示すように、電池ホルダ１ではボタン形電池１７の外周面に倣った２つの支持面２１，２２で、支え部５ではボタン形電池１７の外周面に倣った１つの支持面２３で支持することもできる。多数の支持点１２の集合が支持面２１であり、多数の支持点１３の集合が支持面２２であり、多数の支持点１５の集合が支持面２３であると考えられる。
【００１８】
また、図４に示すように、電池ホルダ１ではボタン形電池１７の外周面の１／２以下で形成された一連の支持面２５でボタン形電池１７を支持することもできる。ボタン形電池１７の外周面に倣って電池ホルダ１に形成された支持面２５が、ボタン形電池１７の外周面１７ａの１／２以下であれば、ボタン形電池１７を嵌め込む作業が必要なく、電池装着部７に載置するだけなので、使い勝手は２つの支持点１２，１３の場合と同様である。なお、支え部５の支持部は、支持点１２でも支持面２３でもよい。
【００１９】
以上のように構成した本発明に係る補聴器用電池収納構造の第１実施の形態の動作について説明する。例えば、電池交換する場合には、先ず電池ホルダ１の先端に指先を掛けて凹部１０と凸部１６の係合関係を解除し、電池ホルダ１を開状態にする。次いで、電池ホルダ１に固定されず電池装着部７に載置されているだけのボタン形電池１７を摘み上げるか、又は手のひらに落下させる。
【００２０】
次いで、新たなボタン形電池１７を摘んで、２つの支持板８の間に形成された電池装着部７に載置すれば、ボタン形電池１７が電池ホルダ１に装着される。更に、凹部１０を凸部１６に係合させて電池ホルダ１を閉状態にすると、ボタン形電池１７は、図２に示すように、電池ホルダ１に形成した２つの支持点１２，１３と、支え部５に形成した１つの支持点１５の３点のみで支持され固定される。
【００２１】
また、ボタン形電池１７は、図３に示すように、電池ホルダ１に形成した２つの支持面２１，２２と、支え部５に形成した１つの支持面２３の３面のみで支持して固定することもできるし、図４に示すように、電池ホルダ１に形成した一連の支持面２５と、支え部５に形成した１つの支持点１５のみで支持して固定することもできる。
【００２２】
第１実施の形態を適用した耳穴式補聴器１８は、図５に示すように、フェースプレート３の表面にはマイクロホンへ音圧を導く音口１９が開けられ、フェースプレート３と共に補聴器ケースを形成するシェル２０にはアンプやイヤホンが内蔵されている。
【００２３】
次に、本発明に係る補聴器用電池収納構造の第２実施の形態は、図６に示すように、着脱自在な電池ホルダ３１、シェルと共に補聴器ケースを形成するフェースプレート３２、フェースプレート３２に形成した開口部３３、フェースプレート３２の内側に形成された２つの突起状の支え部３４，３５などから構成する着脱式である。
【００２４】
電池ホルダ３１は、略円弧状の電池装着部３６、電池装着部３６の両側面に平行に設けた２つの支持板３７，３７、両端に設けた凹部３８，３９とストッパ部４０，４１が一体で成形されている。支え部３４と支え部３５は、開口部３３に臨む位置に対向して形成され、その間隔はフェースプレート３２から離れるに従って狭くなっている。
【００２５】
また、電池装着部３６には、１つの支持点４２、２つの鍔部４３，４３が形成され、支え部３４には、１つの支持点４４が形成され、支え部３５には、１つの支持点４５が形成されている。鍔部４３は、ボタン形電池１７の落下を防止するためのもので、この部分の曲率半径はボタン形電池１７の半径よりも大きく形成されている。
【００２６】
凹部３８は開口部３３の壁面に形成された凸部４６と係合し、凹部３９は開口部３３の壁面に形成された凸部４７と係合し、夫々電池ホルダ３１の閉状態を保持する。ストッパ部４０，４１は、フェースプレート３２に当接して、凹部３８，３９と凸部４６，４７と共に電池ホルダ３１の閉状態を保持する。平行に配設された２つの支持板３７，３７は、夫々半円板状で、ボタン形電池の落下を防止するためのものである。
【００２７】
図７に示すように、ボタン形電池１７を載置した電池ホルダ３１を開口部３３に嵌め込むことで、凹部３８と凸部４６が係合し、凹部３９と凸部４７が係合して電池ホルダ３１が閉状態になり、ボタン形電池１７がケース内に収納されると、ボタン形電池１７は電池ホルダ３１に形成した１つの支持点４２と、支え部３４に形成した１つの支持点４４と、支え部３５に形成した１つの支持点４５の３点のみで支持され固定される。
【００２８】
また、３つの支持点４２，４４，４５でボタン形電池１７を支持するのではなく、図８に示すように、電池ホルダ３１ではボタン形電池１７の外周面に倣った１つの支持面５１で、支え部３４ではボタン形電池１７の外周面に倣った１つの支持面５２で、支え部３５ではボタン形電池１７の外周面に倣った１つの支持面５３で支持することもできる。多数の支持点４２の集合が支持面５１であり、多数の支持点４４の集合が支持面５２であり、多数の支持点４５の集合が支持面５３であると考えられる。
【００２９】
また、図９に示すように、電池ホルダ３１ではボタン形電池１７の外周面の１／２以下で形成された一連の面である支持面５５でボタン形電池１７を支持することもできる。ボタン形電池１７の外周面に倣って電池ホルダ３１に形成された支持面５５が、ボタン形電池１７の外周面１７ａの１／２以下であれば、ボタン形電池１７を嵌め込む作業が必要なく、電池装着部３６に載置するだけなので、使い勝手は１つの支持点４２の場合と同様である。なお、支え部３４，３５の支持部は、支持点４４，４５でも支持面５２，５３でもよい。
【００３０】
以上のように構成した本発明に係る補聴器用電池収納構造の第２実施の形態の動作について説明する。例えば、電池交換する場合には、先ず電池ホルダ３１の両端を指で挟んで引っ張り、凹部３８と凸部４６の係合関係及び凹部３９と凸部４７の係合関係を夫々解除し、電池ホルダ３１を開口部３３から離脱させる。次いで、電池ホルダ３１に固定されず電池装着部３６に載置されているだけのボタン形電池１７を摘み上げるか、又は手のひらに落下させる。
【００３１】
次いで、新たなボタン形電池１７を摘んで、２つの支持板３７の間に形成された電池装着部３６に載置すれば、ボタン形電池１７が電池ホルダ３１に装着される。更に、凹部３８に凸部４６及び凹部３９に凸部４７を夫々係合させて電池ホルダ３１を装着状態にすると、ボタン形電池１７は、図７に示すように、電池ホルダ３１に形成した１つの支持点４２と、支え部３４に形成した１つの支持点４４と、支え部３５に形成した１つの支持点４５の３点のみで支持され固定される。
【００３２】
また、ボタン形電池１７は、図８に示すように、電池ホルダ３１に形成した１つの支持面５１と、支え部３４に形成した１つの支持面５２と、支え部３５に形成した１つの支持面５３の３面のみで支持して固定することもできるし、図９に示すように、電池ホルダ３１に形成した一連の支持面５５と、支え部３４に形成した１つの支持点４４と、支え部３５に形成した１つの支持点４５のみで支持して固定することもできる。
【００３３】
また、図１０に示すように、電池ホルダ１，３１に一連の支持面２５，５５を形成する場合には、これらの支持面２５，５５に磁性体シート６０を貼着すれば、ボタン形電池１７が磁性体シート６０に吸着してボタン形電池１７の落下防止に寄与することができる。磁性体シート６０を支持面２５，５５に貼着する場合には、支持板８，３７を省略することもできる。
また、本発明の実施の形態では、本発明に係る補聴器用電池収納構造を耳穴式補聴器１８に適用したが、耳かけ式補聴器に適用できることは言うまでもない。
【産業上の利用可能性】
【００３４】
ボタン形電池を電池ホルダに嵌め込む作業が要求されず、ボタン形電池を電池ホルダに載置するだけでよく、また電池ホルダからボタン形電池を取り出す際もボタン形電池を摘み上げるか、手のひらに落とせばよいので、電池交換が容易にできる補聴器を提供できる。
【図面の簡単な説明】
【００３５】
【図１】本発明に係る補聴器用電池収納構造の第１実施の形態（開閉式）の断面図
【図２】ボタン形電池の収納状態を示す補聴器用電池収納構造（開閉式）の断面図
【図３】支持面によりボタン形電池を支持する補聴器用電池収納構造（開閉式）の断面図
【図４】一連の支持面によりボタン形電池を支持する補聴器用電池収納構造（開閉式）の断面図
【図５】本発明に係る補聴器用電池収納構造の第１実施の形態を適用した耳穴式補聴器の斜視図
【図６】本発明に係る補聴器用電池収納構造の第２実施の形態（着脱式）の断面図
【図７】ボタン形電池の収納状態を示す補聴器用電池収納構造（着脱式）の断面図
【図８】支持面によりボタン形電池を支持する補聴器用電池収納構造（着脱式）の断面図
【図９】一連の支持面によりボタン形電池を支持する補聴器用電池収納構造（着脱式）の断面図
【図１０】磁性体シートを貼着した補聴器用電池収納構造の断面図で、開閉式（ａ）と着脱式（ｂ）
【符号の説明】
【００３６】
１，３１…電池ホルダ、２…支持棒、３，３２…フェースプレート、４，３３…開口部、５，３４，３５…支え部、７，３６…電池装着部、８，３７…支持板、１０，３８，３９…凹部、１１，４０，４１…ストッパ部、１２，１３，１５，４２，４４，４５…支持点（支持部）、１６，４６，４７…凸部、１７…ボタン形電池、２１，２２，２３，５１，５２，５３，５５…支持面（支持部）、６０…磁性体シート（磁性部材）。
【図１】
2007172839.tif 000003
【図２】
2007172839.tif 000004
【図３】
2007172839.tif 000005
【図４】
2007172839.tif 000006
【図５】
2007172839.tif 000007
【図６】
2007172839.tif 000008
【図７】
2007172839.tif 000009
【図８】
2007172839.tif 000010
【図９】
2007172839.tif 000011
【図１０】
2007172839.tif 000012